【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】  薬剤ディスペンサであって、
（ｉ）排出口を有するハウジングと、
（ｉｉ）前記ハウジング内に配置可能な薬剤容器と、
（ｉｉｉ）前記排出口に付随する電子式投与カウンタとを備え、
前記投与カウンタが、放出器ならびに前記薬剤容器から前記排出口を通じて分配可能な薬剤放出を検出するための検出器を備える第１センサを備え、該検出器が赤外範囲にある電磁放射を検出することを特徴とする、上記薬剤ディスペンサ。
【請求項２】  前記放出器が赤外範囲にある電磁放出を放出する、請求項１に記載の薬剤ディスペンサ。
【請求項３】  前記電磁放射の波長が０．９５μｍから０．３５μｍの範囲にある、請求項１または２に記載の薬剤ディスペンサ。
【請求項４】  前記電磁放射の波長が約０．８８μｍである、請求項３に記載の薬剤ディスペンサ。
【請求項５】  前記放出器が発光ダイオードおよびレーザから成る群から選択される、請求項１から４のいずれか一項に記載の薬剤ディスペンサ。
【請求項６】  前記放出器がさらにフィルタを備える、請求項１から５のいずれか一項に記載の薬剤ディスペンサ。
【請求項７】  前記フィルタが光学フィルタである、請求項６に記載の薬剤ディスペンサ。
【請求項８】  前記光学フィルタが偏光フィルタである、請求項７に記載の薬剤ディスペンサ。
【請求項９】  前記検出器が、フォトダイオード、フォトトランジスタ、光依存性レジスタ、およびボロメータから成る群から選択される、請求項１から８のいずれか一項に記載の薬剤ディスペンサ。
【請求項１０】  前記検出器がさらにフィルタを備える、請求項９に記載の薬剤ディスペンサ。
【請求項１１】  前記フィルタが電子フィルタである、請求項１０に記載の薬剤ディスペンサ。
【請求項１２】  前記フィルタが光学フィルタである、請求項１０に記載の薬剤ディスペンサ。。
【請求項１３】  前記光学フィルタが偏光フィルタである、請求項１２に記載の薬剤ディスペンサ。
【請求項１４】  前記検出器が増幅器に付随している、請求項１から１３のいずれか一項に記載の薬剤ディスペンサ。
【請求項１５】  前記増幅器が検出器に近接して配置される、請求項１４に記載の薬剤ディスペンサ。
【請求項１６】  前記増幅器が検出器と一体化されている、請求項１４または１５に記載の薬剤ディスペンサ。
【請求項１７】  前記検出器が、放出器によって放出された放射の量と比較した放射の増加を検出する、請求項１から１６のいずれか一項に記載の薬剤ディスペンサ。
【請求項１８】  前記検出器が、放出器によって放出された放射の量と比較した放射の減少を検出する、請求項１から１６のいずれか一項に記載の薬剤ディスペンサ。
【請求項１９】  検出された放射の増加または減少が、薬剤放出による、検出器に到達する放射の干渉に起因する、請求項１７または１８のいずれか一項に記載の薬剤ディスペンサ。
【請求項２０】  前記干渉が、薬剤放出による放射の吸収に起因する、請求項１９に記載の薬剤ディスペンサ。
【請求項２１】  前記干渉が、薬剤放出による放射の散乱に起因する、請求項１９に記載の薬剤ディスペンサ。
【請求項２２】  前記干渉が、薬剤放出による放射の反射に起因する、請求項１９に記載の薬剤ディスペンサ。
【請求項２３】  前記干渉が、薬剤放出による放射の屈折に起因する、請求項１９に記載の薬剤ディスペンサ。
【請求項２４】  前記干渉が、薬剤放出による放射の回折に起因する、請求項１９に記載の薬剤ディスペンサ。
【請求項２５】  前記検出器に到達する放射の量が、放出器から放出される放射レベルを変更するための電子帰還回路を使用して一定レベルに維持される、請求項１から２４のいずれか一項に記載の薬剤ディスペンサ。
【請求項２６】  前記第１センサが、放出器から検出器に放射を反射させるための反射装置をさらに備える、請求項１から２５のいずれか一項に記載の薬剤ディスペンサ。
【請求項２７】  前記放出器が２つ以上の波長の放射を放出し、前記検出器が２つ以上の波長の放射を検出する、請求項１から２６のいずれか一項に記載の薬剤ディスペンサ。
【請求項２８】  前記第１センサが、放射を２つ以上の波長で測定することによって薬剤放出と共に薬剤濃度を測る、請求項２７に記載の薬剤ディスペンサ。
【請求項２９】  前記ディスペンサが、薬剤放出を検出するための第２センサをさらに備える、請求項１から２８のいずれか一項に記載の薬剤ディスペンサ。
【請求項３０】  前記第２センサが放出器と検出器とを備える、請求項２９に記載の薬剤ディスペンサ。
【請求項３１】  前記薬剤放出が、第１センサを通過後に第２センサを通過する、請求項２９または３０に記載の薬剤ディスペンサ。
【請求項３２】  前記ディスペンサがさらに第３センサを備える、請求項１から３１のいずれか一項に記載の薬剤ディスペンサ。
【請求項３３】  前記第３センサが、電磁放射、磁界、光、動作、温度、圧力、音、酸素濃度、二酸化炭素濃度、および湿度から成る群から選択されるパラメータを感知する、請求項３２に記載の薬剤ディスペンサ。
【請求項３４】  前記第３センサがディスペンサの作動に応答する、請求項３２または３３のいずれか一項に記載の薬剤ディスペンサ。
【請求項３５】  前記第１および／または第２センサが排出口と一体化されている、請求項２９から３４のいずれか一項に記載の薬剤ディスペンサ。
【請求項３６】  前記第１および／または第２センサが排出口に可逆的に取り付け可能である、請求項２９から３４のいずれか一項に記載の薬剤ディスペンサ。
【請求項３７】  前記第３センサがハウジングと一体化されている、請求項３２から３６のいずれか一項に記載の薬剤ディスペンサ。
【請求項３８】  前記第３センサがハウジングに可逆的に取り付け可能である、請求項３２から３７のいずれか一項に記載の薬剤ディスペンサ。
【請求項３９】  前記投与カウンタがハウジングに可逆的に取り付け可能である、請求項１から３８のいずれか一項に記載の薬剤ディスペンサ。
【請求項４０】  前記第１センサが投与カウンタ上に配置される、請求項１から３９のいずれか一項に記載の薬剤ディスペンサ。
【請求項４１】  前記ディスペンサが１つ以上の光導波管をさらに備える、請求項１から４０のいずれか一項に記載の薬剤ディスペンサ。
【請求項４２】  前記１つ以上の光導波管がハウジング上に配置される、請求項４１に記載の薬剤ディスペンサ。
【請求項４３】  前記光導波管が、有機重合体または無機ガラス繊維材料で構成される、請求項４１または４２のいずれか一項に記載の薬剤ディスペンサ。
【請求項４４】  センサごとに、第１光導波管および第２光導波管を備える、請求項４１から４３のいずれか一項に記載の薬剤ディスペンサ。
【請求項４５】  前記第１光導波管が放射を放出器から排出口に導く、請求項４４に記載の薬剤ディスペンサ。
【請求項４６】  前記第２光導波管が放射を排出口から検出器に導く、請求項４４または４５のいずれか一項に記載の薬剤ディスペンサ。
【請求項４７】  前記放出器および検出器が排出口の同じ側に配置される、請求項１から４６のいずれか一項に記載の薬剤ディスペンサ。
【請求項４８】  前記放出器から放出された放射が、放出器および検出器に対して排出口の反対側の反射面にて反射されて検出器に戻る、請求項４７に記載の薬剤ディスペンサ。
【請求項４９】  前記反射面が、排出口の表面、またはそれに取り付けられた追加構成要素である、請求項４８に記載の薬剤ディスペンサ。
【請求項５０】  前記放出器および検出器を一体化して単一構成要素にする、請求項４７から４９のいずれか一項に記載の薬剤ディスペンサ。
【請求項５１】  前記第１センサを、デジタルまたはコンピュータ式半導体デバイスによって制御する、請求項１から５０のいずれか一項に記載の薬剤ディスペンサ。
【請求項５２】  １０ｍｓから１００ｍｓごとに薬剤放出を検出して応答するように、デジタルまたはコンピュータ式半導体デバイスから第１センサおよび関連電子構成要素にエネルギー供給する、請求項５１に記載の薬剤ディスペンサ。
【請求項５３】  前記センサおよび関連電子構成要素に５μｓから３０μｓ間、エネルギー供給する、請求項５１または５２のいずれか一項に記載の薬剤ディスペンサ。
【請求項５４】  前記デジタルまたはコンピュータ式半導体デバイスが、センサにエネルギー供給した後でセンサを低電力モードに戻す、請求項５１から５３のいずれか一項に記載の薬剤ディスペンサ。
【請求項５５】  前記薬剤容器がエアゾール容器である、請求項１から５４のいずれか一項に記載の薬剤ディスペンサ。
【請求項５６】  前記エアゾール容器が、推進薬中に薬剤を含む懸濁液を含む、請求項５５に記載の薬剤容器。
【請求項５７】  前記推進薬が、ＨＦＡ１３４ａ、ＨＦＡ２２７、二酸化炭素、およびこれらの混合物から成る群から選択される、請求項５６に記載の薬剤ディスペンサ。
【請求項５８】  前記エアゾール容器が溶媒中に薬剤を含む溶液を含む、請求項５５に記載の薬剤ディスペンサ。
【請求項５９】  前記薬剤容器が乾燥粉末容器である、請求項１から５４のいずれか一項に記載の薬剤ディスペンサ。
【請求項６０】  前記乾燥粉末容器が、薬剤を含み、さらに乾燥粉末形態の賦形剤を含んでもよい、請求項５９に記載の薬剤ディスペンサ。
【請求項６１】  患者が手動で作動させることができる、請求項１から６０のいずれか一項に記載の薬剤ディスペンサ。
【請求項６２】  結合要素に非機械的エネルギーを与えることによって作動可能となる、請求項１から６０のいずれか一項に記載の薬剤ディスペンサ。
【請求項６３】  結合要素に機械的エネルギーを与えることによって作動可能となる、請求項１から６０のいずれか一項に記載の薬剤ディスペンサ。
【請求項６４】  前記結合要素が、１つ以上の形状記憶合金ワイヤである、請求項６２または６３に記載の薬剤ディスペンサ。
【請求項６５】  駆動手段に非機械的エネルギーを与えることによって作動可能となる、請求項１から６０のいずれか一項に記載の薬剤ディスペンサ。
【請求項６６】  駆動手段に機械的エネルギーを与えることによって作動可能となる、請求項１から６０のいずれか一項に記載の薬剤ディスペンサ。
【請求項６７】  前記薬剤容器が、アルブテロール、サルメテロール、プロピオン酸フルチカゾン、ジプロピオン酸ベクロメタゾン、これらの塩または溶媒化合物、ならびにこれらの混合物から成る群から選択される薬剤を含む、請求項１から６６のいずれか一項に記載の薬剤ディスペンサ。
【請求項６８】  前記排出口が、それを通じて吸入するマウスピースを備える、請求項１から６７のいずれか一項に記載の薬剤ディスペンサ。
【請求項６９】  投与カウンタから電子データ管理システムにデータを転送できるように、通信用の通信装置をさらに備える、請求項１から６８のいずれか一項に記載の薬剤ディスペンサ。
【請求項７０】  前記データ管理システムがローカル・データ管理システムである、請求項６９に記載の薬剤ディスペンサ。
【請求項７１】  ネットワーク・コンピュータと電子データ管理システムとの間でデータを転送できるように、ネットワーク・コンピュータ・システムへのゲートウェイを有する無線通信用の通信装置をさらに備える、請求項６９または７０のいずれか一項に記載の薬剤ディスペンサ。
【請求項７２】  薬剤容器を受けるためのハウジングであって、
（ｉ）薬剤を分配する排出口と、
（ｉｉ）排出口に付随する電子投与カウンタ
とを備え、
前記投与カウンタが、放出器ならびに排出口を通じて分配可能な薬剤放出を検出するための検出器を有する第１センサを備え、該検出器が赤外範囲にある電磁放射を検出することを特徴とする、上記ハウジング。
【請求項７３】  薬剤容器を受けるためのハウジングであって、
（ｉ）薬剤を分配する排出口と、
（ｉｉ）それに付随する光導波管の第１および第２ストランド
とを備え、
前記光導波管の第１および第２ストランドが、排出口を通じて薬剤放出を検出するための第１センサを有する電子式投与カウンタに付随することができる、上記ハウジング。